(57)【特許請求の範囲】
【請求項１】
台（platform）と、
前記台に取り付けられる取付金具（bracket）と、
前記取付金具によって固定されるネジ棒（threaded rod）と、
前記ネジ棒と貫通係合することにより、前記ネジ棒に沿って移動するブロックと、
前記ブロックに取り付けられる第１および第２の押し棒（push rod）と、
それぞれが押し棒と接続されることにより、前記ブロックの移動方向に対する横断方向に伸びる第１および第２の止めピン（locking pin）と、を備え、
前記止めピンは、前記ネジ棒上の前記ブロックの位置に基づく第１の延伸ポジションにおいてはインサートを係合可能であり、前記ネジ棒上の前記ブロックの第２の位置に基づく第１の後退ポジションにおいては前記インサートを離すことを特徴とする、航空機ギャレーのインサート（insert）を作業デッキの上に着脱可能に導入するための取付システム。
【請求項２】
前記台は、止めピンを受け入れるための開口を有する側壁を備えることを特徴とする請求項１に記載の航空機ギャレーのインサートを着脱可能に導入するための取付システム。
【請求項３】
前記止めピンは、Ｏリング・ブラケットによってスライド移動可能に固定されることを特徴とする請求項１に記載の航空機ギャレーのインサートを着脱可能に導入するための取付システム。
【請求項４】
前記押し棒および前記ネジ棒は、前記第１の後退ポジションにおいてはＹ構造を形成し、前記第１の延伸ポジションにおいてはＴ構造を形成することを特徴とする請求項１に記載の航空機ギャレーのインサートを着脱可能に導入するための取付システム。
【請求項５】
前記インサートと結合する面板（face plate）を更に備え、
前記台および面板は固定的に結合されることを特徴とする請求項１に記載の航空機ギャレーのインサートを着脱可能に導入するための取付システム。
【請求項６】
前記インサートは、前記台に着座して、換気領域（ventilation area）となるエアギャップを前記インサートと前記台の床面の間に形成することを特徴とする請求項１に記載の航空機ギャレーのインサートを着脱可能に導入するための取付システム。
【発明の詳細な説明】
【技術分野】
【０００１】
この出願は、２０１２年３月２８日に出願された米国仮出願第６１／６１６，９６９号、および、２０１３年３月２５日に出願された米国出願第１３／８４９，８０８号の優先権を要求し、その全体が参照により援用される。
【背景技術】
【０００２】
航空機ギャレーは、フライト・アテンダントによる乗客サービス、特に、乗客の飲食の要望に応えるサービスに使われる、乗り物のエリアである。空間および重量に制約があるため、こういったエリアは、製造および配置に関わるすべての面において非常に整理されており、かつ、効率的である。ギャレーには、さまざまな方法で配置可能な「インサート（inserts）」とよばれる多くの電化製品がある。インサートとは、コーヒー・ブリューワー（coffee brewers：コーヒーを淹れる装置）、オーブン、ゴミ圧縮機、冷蔵庫、冷却器（chillers）、エスプレッソ・マシンなど、ギャレー・エリアに存在しうるその他あらゆる電化製品でありうる。これらの装置は、重くなりがちであるため、乱流中に動かないようにギャレーにしっかりと取り付けられなければならないが、航空機の空間上の必要によっては、必要であれば動かせるだけの融通性もなくてはならない。また、インサートを修理する必要がある場合にも、簡単に取り外したり位置を変更できることが望ましい。このように、インサートの取付システム（mounting system）は、安全性と信頼性の両方を備える必要があるが融通性も必要であり、かつ、ギャレーのその他のニーズにも応えなくてはならない。
【発明の概要】
【発明が解決しようとする課題】
【０００３】
ギャレーにインサートを取り付けるために、通常、インサートには、インサートをギャレーの作業デッキ（work deck）に取り付けるための取付ネジ（mounting screw）が付いている。ただし、航空機ギャレーの作業デッキにインサートを取り付けるには、インサートとデッキを同一平面にする必要がある。この場合、インサートのモーターを冷やすためにファンを使う冷蔵庫やオーブンのような装置にとって、換気が問題となる。このため、換気可能で、修理や場所替えが単純かつ簡単な作業で可能でありながら、信頼性と安全性が高いインサート設置も可能な、ギャレー・インサートの取付システムが必要とされている。
【課題を解決するための手段】
【０００４】
本発明は、インサートと作業デッキ上面の間にエアギャップ（air gap：空隙）を確保することで換気可能としつつ、取付ネジを使わなくてもインサートを手早く簡単に固定する航空機インサートの取付システムに関する。インサートを支える側壁を有する作業デッキには台（platform）が形成され、インサートは側壁の上に着座し、インサート底面と台床面の間にギャップがつくられる。台は、また、Ｙ型構造（"Y" shaped configuration）からＴ型構造（"T" shaped configuration）に変形可能なリンク機構（linkage）を備える。リンク構造がＹ型構造のときには、外翼（outer wing）、すなわち、止めピン（locking pin）は台の側壁まで伸びない。このポジションにあるときには、インサートを台上に載せられることはできるけれども台には固定されない。ただし、いったんインサートを台に適切に載せれば、リンク機構はＹ型構造からＴ型構造に変形できる。これにより、止めピンは、台の側壁とインサートの側壁の貫通孔を通過する。このように、インサートは、ネジやその他の永続的固定具（permanent fixture）を使わなくても台に固定できる。掃除やメンテナンスなどでインサートを取り外す必要があるときには、リンク機構は止めピンを引き戻し、インサートを開放しつつＹ構造に戻る。
【０００５】
本発明の他の特徴および優位性は、好ましい実施形態についての後述の詳細な記載と例示として本発明の運用を図解する付属図面から明らかにされる。
【図面の簡単な説明】
【０００６】
【図１】リンク機構がＴ構造であるときの本発明のギャレー・インサート取付システムの立面斜視図である。
【図２】リンク機構がＹ構造であるときの本発明のギャレー・インサート取付システムの立面斜視図である。
【図３】リンク機構がＴ構造であるときの本発明のギャレー・インサート取付システムの上面図である。
【図４】リンク機構がＹ構造であるときの本発明のギャレー・インサート取付システムの上面図である。
【図５】ギャレー・インサートの取付システムと協働するインサート面板（face plate）の立面斜視図である。
【図６】リンク機構と取付金具（bracket）の拡大図である。
【図７】冷却器（chillar）などの一般的なインサートの立面斜視図である。
【図８】インサートを固定するために協働するリンク機構の拡大斜視図である。
【図９】側壁から突き出て、インサートを固定するリンク機構とインサートを示す図である。
【図１０】突き出てインサートを固定するリンク機構とインサートの斜視図である。
【図１１】台にロックされたインサートを下から見た図である。
【発明を実施するための形態】
【０００７】
図１と図２は、インサートをデッキに取り付けるための取付ネジを使わなくても、冷蔵庫のようなギャレー・インサートをギャレーの作業デッキに固定するために使用可能なリンク機構の組立品を示す。台２０は、床２２と短く横に延びる側壁２４で形成される。側壁２４には、共通のセンターラインに並ぶように貫通孔２６が形成される。各穴２６は、Ｏリング・ブラケット（取付金具）のような一対の取付金具（mounting bracket）３０によって台２０に固定される止めピン２８を受け入れるサイズとなっている。各止めピン２８は、押し棒（push rod）３２にヒンジ固定またはリンク固定され、押し棒３２はブロック３４に取り付けられる。ブロック３４は、台２０の床２２に取り付けられるＬ字取付金具４０にその末端３８が固定される駆動棒（drive rod）３６と貫通係合（threadedly engaged）する。Ｌ字取付金具４０は、駆動棒３６の端部４２を固定維持しつつも、駆動棒３６の回転を可能としている。
【０００８】
台２０が図２の離脱ポジションにあるときには、止めピン２８は側壁２４から引き戻され、ブロック３４はＬ字取付金具４０から離れる。このポジションでは、ギャレー・冷蔵庫のようなインサートは、固定のために台２０の上に設置できる。このポジションにおいて、押し棒３２を加えた駆動棒３６は、天秤棒のようにＹ字構造になる。台のロック機能と係合するためには、駆動棒３６が第１の方向に回転することにより、駆動棒３６に沿ってＬ字取付金具４０に向かってブロック３４を動かす。ブロック３４が二つの要素間での貫通係合（threaded engagement）により駆動棒３６に沿って押し込まれると、止めピン２８につながる押し棒３２の両端部は離れはじめる。ブロック３４が、更に、駆動棒３６に沿って動くと、押し棒３２は次第に一直線状となり、図１に示すように止めピンが側壁２４の穴２６から押し出される。このような構造においては、押し棒３２と駆動棒３６はＴ構造を形成し、止めピン２８は、完全に側壁２４を貫通する。止めピン２８を外すためには、駆動棒２６を逆方向に回転させればブロック３４はＬ字取付金具から離れていく。ブロック３４が後退すると、押し棒３２は図２のポジションに戻り、押し棒２８は側壁２４の内側に引き戻される。こうして、リンク機構によってロックされていたインサートは開放される。図３と図４は、延伸したとき（図３）、後戻りした時（図４）のポジションにおけるリンク機構を示している。
【０００９】
図５は、ギャレーの作業デッキに取り付けられるべき冷蔵庫のようなインサート用の面板（face plate）５０を取り付けられた台２０を示す。面板５０は、インサート６０の外から駆動棒３６を操作できるように、駆動棒３６を受け入れる窓５４（図６）を有する。インサート６０の横には、図１や図３の延伸位置において、止めピン２８を受け入れる穴６２がある。すなわち、止めピンは台２０の側壁２４を通り抜けるとともに（図８）、インサート６０の穴６２も貫通することで、インサート６０を台２０に固定する。止めピン６０は、インサート６０の外に伸びる駆動棒３６を回転させることで簡単に引っ込めることができるので、信頼性が高くかつ簡単な方法でインサートを固定できる。図９と図１０は、突き出た止めピン２８でロックされているインサート６０を示す。図１１は、換気を行えるように、インサートの側壁２４がインサート６０の下においてどのようにギャップを形成しているかを示す。充分な換気ができないまま狭い区画に閉じ込められるとオーバーヒートすることがある、冷蔵庫、オーブン、冷却器その他の電気設備にとってこの点は重要である。このように、本発明はインサート６０を固定するだけでなく、インサートの下部の換気も可能にしている。
【００１０】
本発明の方式によりインサートをギャレーに搭載するときには、横突起（止めピン）は、隣りにある取付金具、壁、パーティション、その他のギャレー構造における固定部分の穴と一直線に並ぶ。このようにして、作業デッキに直接的に取り付けることなく、横突起がギャレー構造内でインサートが動かないようにする。
【００１１】
インサート６０は不可分要素として台２０および面板５０の両方と合体することが好ましい。そのために、各インサートはその基体内部に自身の不可分なロック・メカニズム（locking mechanism）を有することが望ましい。駆動棒はインサートの外から回転可能であり、止めピンは台の側壁を突き抜け、インサートの貫通孔も通り抜けるように伸びる。このため、デッキの床を貫通する取付ネジを必要とすることなく、インサートを定位置にすばやく設置してロックできる。その代わりに、上記取付システムは、止めピンを伸ばす駆動棒だけを使ってインサートを着脱可能に取り付けてもよい。駆動棒は、ねじ回しその他の道具を使って回転可能であってもよく、この場合には、インサートを台の定位置にすばやく設置してロックできる。
【００１２】
インサートがギャレーに取り付けられるときには、リンク機構の止めピンは、台の側壁の穴およびインサートの穴、あるいは、隣りの取付金具、壁、パーティション、ギャレー構造のその他の固定部分と一直線に並ぶ。このように、作業デッキへの直接的な取り付けをしなくても、止めピンはギャレー構造の内部にインサートを取り付けることができる。近年のギャレー設計では、インサートの下から前方にスライドしてフライト・アテンダントの作業面領域を拡大する作業デッキをもつことがあるので、この点は重要である。更に、より新しいギャレー設計は、作業デッキを通して、ギャレー・カートのための冷却空気を送るので、本発明は、冷却空気を漏らすことがある取付ネジのために作業デッキに穴を開ける必要がない点にも優位性がある。
【００１３】
さまざまな実施形態を述べたが、さまざまな変形および置換が可能であることは当業者であれば理解されるところであり、本発明はそのような変形・置換のすべてを含むように意図したものである。したがって、明示されない限り、明細書および図面のいずれも限定的あるいは排他的に解釈されてはならない。なお、発明の範囲は添付の特許請求の範囲をこの特許明細書における普通かつ通常の言葉の意味使いから解釈されるものでり、排他的に解釈してはならない。
【図１】
0005996770.tif 000002
【図２】
0005996770.tif 000003
【図３】
0005996770.tif 000004
【図４】
0005996770.tif 000005
【図５】
0005996770.tif 000006
【図６】
0005996770.tif 000007
【図７】
0005996770.tif 000008
【図８】
0005996770.tif 000009
【図９】
0005996770.tif 000010
【図１０】
0005996770.tif 000011
【図１１】
0005996770.tif 000012